【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
人が近傍にいるか否かを検出する検出装置と、第１の情報伝達装置と、第２の情報伝達装置とを含む情報伝達システムであって、
前記検出装置は、
人が近傍にいる場合、人が近傍にいることを示す検出信号を送信する検出信号送信手段を備え、
前記第１の情報伝達装置は、
前記検出信号を受信する検出信号受信手段と、
自機の動作状況を送信する動作状況送信手段とを備え、
前記第２の情報伝達装置は、
前記動作状況を受信する動作状況受信手段と、
前記受信された動作状況を出力する情報出力手段とを備えており、
前記検出装置は、人が近傍にいる場合、前記検出信号を前記第１の情報伝達装置に送信し、
前記第１の情報伝達装置は、前記自機の動作状況が所定の動作状況である場合に、前記検出装置からの前記検出信号が受信されたことを条件に、前記所定の動作状況を前記自機の動作状況として前記第２の情報伝達装置に送信し、
前記第２の情報伝達装置は、前記第１の情報伝達装置の動作状況を受信し、出力することを特徴とする、情報伝達システム。
【請求項２】
第１の情報伝達装置と、第２の情報伝達装置とを含む情報伝達システムであって、
前記第１の情報伝達装置は、
人が近傍にいることを示す検出信号を受信する検出信号受信手段と、
自機の動作状況を送信する動作状況送信手段とを備え、
前記第２の情報伝達装置は、
人が近傍にいることを検出する検出手段と、
人が近傍にいることを示す検出信号を送信する検出信号送信手段と、
前記動作状況を受信する動作状況受信手段と、
前記受信された動作状況を出力する情報出力手段とを備えており、
前記第２の情報伝達装置は、人が近傍にいることを検出すると、前記検出信号を前記第１の情報伝達装置に送信し、
前記第１の情報伝達装置は、前記自機の動作状況が所定の動作状況である場合に、前記第２の情報伝達装置からの前記検出信号が受信されたことを条件に、前記所定の動作状況を前記自機の動作状況として前記第２の情報伝達装置に送信し、
前記第２の情報伝達装置は、前記第１の情報伝達装置の動作状況を受信し、出力することを特徴とする、情報伝達システム。
【請求項３】
前記第２の情報伝達装置が備える前記検出手段は、人による操作を検出することによって、人が近傍にいることを検出することを特徴とする、請求項２に記載の情報伝達システム。
【請求項４】
人が近傍にいることを検出する検出装置と、第１の情報伝達装置と、第２の情報伝達装置とを含む情報伝達システムであって、
前記検出装置は、
人が近傍にいる場合、人が近傍にいることを示す検出信号を送信する検出信号送信手段を備え、
前記第１の情報伝達装置は、
自機の動作状況を送信する動作状況送信手段を備え、
前記第２の情報伝達装置は、
前記検出信号を受信する検出信号受信手段と、
前記動作状況を受信する動作状況受信手段と、
前記受信された動作状況を出力する情報出力手段とを備えており、
前記検出装置は、人が近傍にいる場合、前記検出信号を前記第２の情報伝達装置に送信し、
前記第１の情報伝達装置は、前記自機の動作状況が所定の動作状況である場合に、前記所定の動作状況を前記自機の動作状況として前記第２の情報伝達装置に送信し、
前記第２の情報伝達装置は、前記第１の情報伝達装置の動作状況を受信した場合に、前記検出装置からの前記検出信号が受信されたことを条件に、前記受信した第１の情報伝達装置の動作状況を出力することを特徴とする、情報伝達システム。
【請求項５】
第１の情報伝達装置と、第２の情報伝達装置とを含む情報伝達システムであって、
前記第１の情報伝達装置は、
自機の動作状況を送信する動作状況送信手段を備え、
前記第２の情報伝達装置は、
人が近傍にいることを検出する検出手段と、
前記動作状況を受信する動作状況受信手段と、
前記受信された動作状況を出力する情報出力手段とを備えており、
前記第１の情報伝達装置は、前記自機の動作状況が所定の動作状況である場合に、前記所定の動作状況を前記自機の動作状況として前記第２の情報伝達装置に送信し、
前記第２の情報伝達装置は、前記第１の情報伝達装置の動作状況を受信した場合に、人が近傍にいることを検出することを条件に、前記受信した第１の情報伝達装置の動作状況を出力することを特徴とする、情報伝達システム。
【請求項６】
前記第２の情報伝達装置が備える前記検出手段は、人による操作を検出することによって、人が近傍にいることを検出することを特徴とする、請求項５に記載の情報伝達システム。
【請求項７】
第１の情報伝達装置と第２の情報伝達装置とを含む情報伝達システムであって、
前記第１の情報伝達装置は、
自機の動作状況を送信する動作状況送信手段を備え、
前記第２の情報伝達装置は、
前記動作状況を受信する動作状況受信手段と、
前記受信された動作状況に関連する情報を出力する情報出力手段とを備えており、
前記第１の情報伝達装置は、前記自機の動作状況が所定の動作状況である場合に、前記所定の動作状況を前記自機の動作状況として前記第２の情報伝達装置に送信し、
前記第２の情報伝達装置は、前記第１の情報伝達装置の動作状況を受信した場合に、前記受信した第１の情報伝達装置の動作状況に関連する情報を出力することを特徴とする、情報伝達システム。
【請求項８】
前記情報出力手段は、
前記動作状況受信手段により所定の動作状況が受信された場合、前記受信された動作状況に関連する付加情報取得情報に基づき、前記付加情報を出力する、請求項７に記載の情報伝達システム。
【請求項９】
人が近傍にいるか否かを検出する検出装置、および、前記検出装置と同じ領域に設置された他の情報伝達装置それぞれとの間で情報を送受信可能な情報伝達装置であって、
前記検出装置から人が近傍にいることを示す検出信号を受信する検出信号受信手段と、
自機の動作状況を前記他の情報伝達装置に送信する動作状況送信手段とを備え、
前記自機の動作状況が所定の動作状況である場合に、前記検出装置からの前記検出信号が受信されたことを条件に、前記所定の動作状況を前記自機の動作状況として前記他の情報伝達装置に送信することを特徴とする、情報伝達装置。
【請求項１０】
前記検出信号の送信を前記検出装置に要求する検出信号送信要求手段をさらに備えた、請求項９に記載の情報伝達装置。
【請求項１１】
前記検出装置は複数あり、前記複数の検出装置は互いに異なる領域に設置され、
前記他の情報伝達装置は複数あり、前記複数の他の情報伝達装置は、それぞれ、前記複数の検出装置と同じ領域に設置され、
前記動作状況送信手段は、前記所定の動作状況を、前記検出信号を送信してきた検出装置と同じ領域に設置された他の情報伝達装置に送信する、請求項９に記載の情報伝達装置。
【請求項１２】
前記検出装置は、近傍に所定の人がいるか否かを検出し、
前記検出信号受信手段は、前記検出装置から前記所定の人が近傍にいることを示す検出信号を受信する、請求項９に記載の情報伝達装置。
【請求項１３】
自機が設置される領域と同じ領域に設置され、近傍に人がいるか否かを検出する検出装置、および、他の情報伝達装置それぞれとの間で情報を送受信可能な情報伝達装置であって、
前記他の情報伝達装置から動作状況を受信する動作状況受信手段と、
前記検出装置から人が近傍にいることを示す検出信号を受信する検出信号受信手段と、
前記動作状況受信手段により所定の動作状況が受信された場合、前記検出信号が受信されたことを条件に、前記受信された所定の動作状況を出力する情報出力手段とを備えた、情報伝達装置。
【請求項１４】
前記検出信号の送信を前記検出装置に要求する検出信号送信要求手段をさらに備えた、請求項１３に記載の情報伝達装置。
【請求項１５】
前記検出装置は、近傍に所定の人がいるか否かを検出し、
前記検出信号受信手段は、前記検出装置から前記所定の人が近傍にいることを示す検出信号を受信する、請求項１３に記載の情報伝達装置。
【請求項１６】
他の情報伝達装置との間で情報を送受信可能な情報伝達装置であって、
前記他の情報伝達装置から動作状況を受信する動作状況受信手段と、
前記動作状況受信手段により所定の動作状況が受信された場合、前記受信された動作状況に関連する情報を出力する情報出力手段とを備えた、情報伝達装置。
【請求項１７】
前記他の情報伝達装置の動作状況と、前記動作状況に関連する出力情報とを対応させて予め記憶する出力情報記憶手段をさらに備え、
前記情報出力手段は、前記動作状況受信手段により所定の動作状況が受信された場合、前記受信された動作状況に対応させて記憶された出力情報を出力する、請求項１６に記載の情報伝達装置。
【請求項１８】
前記他の情報伝達装置の動作状況と、前記動作状況に関連する付加情報取得情報とを対応させて予め記憶する付加情報取得情報記憶手段をさらに備え、
前記情報出力手段は、
前記動作状況受信手段により所定の動作状況が受信された場合、前記受信された動作状況に対応させて記憶された付加情報取得情報に基づき、前記付加情報を取得する付加情報取得手段を含み、
前記取得された付加情報を出力する、請求項１６に記載の情報伝達装置。
【請求項１９】
前記他の情報伝達装置の動作状況と、自機の動作への割込を許可することを示す割込許可情報とを対応させて予め記憶する割込許可情報記憶手段をさらに備え、
前記情報出力手段は、前記受信された動作状況に対応させて割込許可情報が記憶されている場合、前記受信された動作状況に関連する情報を出力する、請求項１６に記載の情報伝達装置。
【請求項２０】
近傍に人がいるか否かを検出する検出装置、および、前記検出装置と同じ領域に設置された他の情報伝達装置それぞれとの間で情報を送受信可能な情報伝達装置で情報を伝達する情報伝達方法であって、
前記検出装置から人が近傍にいることを示す検出信号を受信するステップと、
自機の動作状況が所定の動作状況である場合に、前記検出信号が受信されたことを条件に、前記所定の動作状況を前記他の情報伝達装置に送信するステップとを含む、情報伝達方法。
【請求項２１】
自機が設置される領域と同じ領域に設置され、近傍に人がいるか否かを検出する検出装置、および、他の情報伝達装置それぞれとの間で情報を送受信可能な情報伝達装置で情報を伝達する情報伝達方法であって、
前記他の情報伝達装置から動作状況を受信するステップと、
前記検出装置から人が近傍にいることを示す検出信号を受信するステップと、
所定の動作状況が受信された場合、前記検出信号が受信されたことを条件に、前記受信された所定の動作状況を出力するステップとを含む、情報伝達方法。
【請求項２２】
他の情報伝達装置との間で情報を送受信可能な情報伝達装置で情報を伝達する情報伝達方法であって、
前記他の情報伝達装置から動作状況を受信するステップと、
所定の動作状況が受信された場合、前記受信された動作状況に関連する情報を出力するステップとを含む、情報伝達方法。
【請求項２３】
近傍に人がいるか否かを検出する検出装置、および、前記検出装置と同じ領域に設置された他の情報伝達装置それぞれとの間で情報を送受信可能な情報伝達装置で実行される情報伝達プログラムであって、
前記検出装置から人が近傍にいることを示す検出信号を受信するステップと、
自機の動作状況が所定の動作状況である場合に、前記検出信号が受信されたことを条件に、前記所定の動作状況を前記他の情報伝達装置に送信するステップとを情報伝達装置に実行させる、情報伝達プログラム。
【請求項２４】
自機が設置される領域と同じ領域に設置され、近傍に人がいるか否かを検出する検出装置、および、他の情報伝達装置それぞれとの間で情報を送受信可能な情報伝達装置で実行される情報伝達プログラムであって、
前記他の情報伝達装置から動作状況を受信するステップと、
前記検出装置から人が近傍にいることを示す検出信号を受信するステップと、
所定の動作状況が受信された場合、前記検出信号が受信されたことを条件に、前記受信された所定の動作状況を出力するステップとを情報伝達装置に実行させる、情報伝達プログラム。
【請求項２５】
他の情報伝達装置との間で情報を送受信可能な情報伝達装置で実行される情報伝達プログラムであって、
前記他の情報伝達装置から動作状況を受信するステップと、
所定の動作状況が受信された場合、前記受信された動作状況に関連する情報を出力するステップとを情報伝達装置に実行させる、情報伝達プログラム。
【請求項２６】
請求項２３〜２５のいずれかに記載の情報伝達プログラムを記録したコンピュータ読取可能な記録媒体。
【手続補正２】
【補正対象書類名】明細書
【補正対象項目名】０００９
【補正方法】変更
【補正の内容】
【０００９】
【課題を解決するための手段】
上述の目的を達成するために、この発明のある局面によれば、情報伝達システムは、人が近傍にいるか否かを検出する検出装置と、第１の情報伝達装置と、第２の情報伝達装置とを含み、
検出装置は、人が近傍にいる場合、人が近傍にいることを示す検出信号を送信する検出信号送信手段を備え、
第１の情報伝達装置は、検出信号を受信する検出信号受信手段と、自機の動作状況を送信する動作状況送信手段とを備え、
第２の情報伝達装置は、動作状況を受信する動作状況受信手段と、受信された動作状況を出力する情報出力手段とを備えており、
検出装置は、人が近傍にいる場合、検出信号を第１の情報伝達装置に送信し、
第１の情報伝達装置は、自機の動作状況が所定の動作状況である場合に、検出装置からの検出信号が受信されたことを条件に、所定の動作状況を自機の動作状況として第２の情報伝達装置に送信し、
第２の情報伝達装置は、第１の情報伝達装置の動作状況を受信し、出力する。
【手続補正３】
【補正対象書類名】明細書
【補正対象項目名】００１０
【補正方法】変更
【補正の内容】
【００１０】
この発明に従えば、情報伝達システムは、検出装置と、第１の情報伝達装置と、第２の情報伝達装置とを含む。そして、検出装置は、人が近傍にいる場合、人が近傍にいることを示す検出信号を第１の情報伝達装置に送信する。また、第１の情報伝達装置は、自機の動作状況が所定の動作状況である場合に、検出装置からの検出信号が受信されたことを条件に、所定の動作状況を自機の動作状況として第２の情報伝達装置に送信する。さらに、第２の情報伝達装置は、第１の情報伝達装置の動作状況を受信し、出力する。このため、検出装置の近傍に人がいる場合にのみ、第１の情報伝達装置の動作状況を第２の情報伝達装置で出力することができる。その結果、必要に応じて情報を伝達することが可能な情報伝達システムを提供することができる。
【手続補正４】
【補正対象書類名】明細書
【補正対象項目名】００１１
【補正方法】変更
【補正の内容】
【００１１】
この発明の他の局面によれば、情報伝達システムは、第１の情報伝達装置と、第２の情報伝達装置とを含み、
第１の情報伝達装置は、人が近傍にいることを示す検出信号を受信する検出信号受信手段と、自機の動作状況を送信する動作状況送信手段とを備え、
第２の情報伝達装置は、人が近傍にいることを検出する検出手段と、人が近傍にいることを示す検出信号を送信する検出信号送信手段と、動作状況を受信する動作状況受信手段と、受信された動作状況を出力する情報出力手段とを備えており、
第２の情報伝達装置は、人が近傍にいることを検出すると、検出信号を第１の情報伝達装置に送信し、
第１の情報伝達装置は、自機の動作状況が所定の動作状況である場合に、第２の情報伝達装置からの検出信号が受信されたことを条件に、所定の動作状況を自機の動作状況として第２の情報伝達装置に送信し、
第２の情報伝達装置は、第１の情報伝達装置の動作状況を受信し、出力する。
この発明に従えば、情報伝達システムは、第１の情報伝達装置と、第２の情報伝達装置とを含む。そして、第２の情報伝達装置は、人が近傍にいることを検出すると、人が近傍にいることを示す検出信号を第１の情報伝達装置に送信する。また、第１の情報伝達装置は、自機の動作状況が所定の動作状況である場合に、第２の情報伝達装置からの検出信号が受信されたことを条件に、所定の動作状況を自機の動作状況として第２の情報伝達装置に送信する。さらに、第２の情報伝達装置は、第１の情報伝達装置の動作状況を受信し、出力する。このため、第２の情報伝達装置の近傍に人がいる場合にのみ、第１の情報伝達装置の動作状況を第２の情報伝達装置で出力することができる。その結果、必要に応じて情報を伝達することが可能な情報伝達システムを提供することができる。
好ましくは、第２の情報伝達装置が備える検出手段は、人による操作を検出することによって、人が近傍にいることを検出する。
【手続補正５】
【補正対象書類名】明細書
【補正対象項目名】００１３
【補正方法】変更
【補正の内容】
【００１３】
この発明のさらに他の局面によれば、情報伝達システムは、人が近傍にいることを検出する検出装置と、第１の情報伝達装置と、第２の情報伝達装置とを含み、
検出装置は、人が近傍にいる場合、人が近傍にいることを示す検出信号を送信する検出信号送信手段を備え、
第１の情報伝達装置は、自機の動作状況を送信する動作状況送信手段を備え、
第２の情報伝達装置は、検出信号を受信する検出信号受信手段と、動作状況を受信する動作状況受信手段と、受信された動作状況を出力する情報出力手段とを備え、
検出装置は、人が近傍にいる場合、検出信号を第２の情報伝達装置に送信し、
第１の情報伝達装置は、自機の動作状況が所定の動作状況である場合に、所定の動作状況を自機の動作状況として第２の情報伝達装置に送信し、
第２の情報伝達装置は、第１の情報伝達装置の動作状況を受信した場合に、検出装置からの検出信号が受信されたことを条件に、受信した第１の情報伝達装置の動作状況を出力する。
【手続補正６】
【補正対象書類名】明細書
【補正対象項目名】００１４
【補正方法】変更
【補正の内容】
【００１４】
この発明に従えば、情報伝達システムは、検出装置と、第１の情報伝達装置と、第２の情報伝達装置とを含む。そして、検出装置は、人が近傍にいる場合、人が近傍にいることを示す検出信号を第２の情報伝達装置に送信する。また、第１の情報伝達装置は、自機の動作状況が所定の動作状況である場合に、所定の動作状況を自機の動作状況として第２の情報伝達装置に送信する。さらに、第２の情報伝達装置は、第１の情報伝達装置の動作状況を受信した場合に、検出装置からの検出信号が受信されたことを条件に、受信した第１の情報伝達装置の動作状況を出力する。このため、検出装置の近傍に人がいる場合にのみ、第１の情報伝達装置の動作状況を第２の情報伝達装置で出力することができる。その結果、必要に応じて情報を伝達することが可能な情報伝達システムを提供することができる。
【手続補正７】
【補正対象書類名】明細書
【補正対象項目名】００１５
【補正方法】変更
【補正の内容】
【００１５】
この発明の他の局面によれば、情報伝達システムは、第１の情報伝達装置と、第２の情報伝達装置とを含み、
第１の情報伝達装置は、自機の動作状況を送信する動作状況送信手段を備え、
第２の情報伝達装置は、人が近傍にいることを検出する検出手段と、動作状況を受信する動作状況受信手段と、受信された動作状況を出力する情報出力手段とを備えており、
第１の情報伝達装置は、自機の動作状況が所定の動作状況である場合に、所定の動作状況を自機の動作状況として第２の情報伝達装置に送信し、
第２の情報伝達装置は、第１の情報伝達装置の動作状況を受信した場合に、人が近傍にいることを検出することを条件に、受信した第１の情報伝達装置の動作状況を出力する。
この発明に従えば、情報伝達システムは、第１の情報伝達装置と、第２の情報伝達装置とを含む。そして、第１の情報伝達装置は、自機の動作状況が所定の動作状況である場合に、所定の動作状況を自機の動作状況として第２の情報伝達装置に送信する。また、第２の情報伝達装置は、第１の情報伝達装置の動作状況を受信した場合に、人が近傍にいることを検出することを条件に、受信した第１の情報伝達装置の動作状況を出力する。このため、第２の情報伝達装置の近傍に人がいる場合にのみ、第１の情報伝達装置の動作状況を第２の情報伝達装置で出力することができる。その結果、必要に応じて情報を伝達することが可能な情報伝達システムを提供することができる。
好ましくは、第２の情報伝達装置が備える検出手段は、人による操作を検出することによって、人が近傍にいることを検出する。
【手続補正８】
【補正対象書類名】明細書
【補正対象項目名】００１７
【補正方法】変更
【補正の内容】
【００１７】
この発明のさらに他の局面によれば、情報伝達システムは、第１の情報伝達装置と第２の情報伝達装置とを含み、
第１の情報伝達装置は、自機の動作状況を送信する動作状況送信手段を備え、
第２の情報伝達装置は、動作状況を受信する動作状況受信手段と、受信された動作状況に関連する情報を出力する情報出力手段とを備えており、
第１の情報伝達装置は、自機の動作状況が所定の動作状況である場合に、所定の動作状況を自機の動作状況として第２の情報伝達装置に送信し、
第２の情報伝達装置は、第１の情報伝達装置の動作状況を受信した場合に、受信した第１の情報伝達装置の動作状況に関連する情報を出力する。
【手続補正９】
【補正対象書類名】明細書
【補正対象項目名】００１８
【補正方法】変更
【補正の内容】
【００１８】
この発明に従えば、情報伝達システムは、第１の情報伝達装置と第２の情報伝達装置とを含む。そして、第１の情報伝達装置は、自機の動作状況が所定の動作状況である場合に、所定の動作状況を自機の動作状況として第２の情報伝達装置に送信する。また、第２の情報伝達装置は、第１の情報伝達装置の動作状況を受信した場合に、受信した第１の情報伝達装置の動作状況に関連する情報を出力する。このため、受信された第１の情報伝達装置の動作状況に応じて、第２の情報伝達装置で出力する情報を変えることができる。その結果、伝達する情報に関連する情報を報知することが可能な情報伝達システムを提供することができる。
【手続補正１０】
【補正対象書類名】明細書
【補正対象項目名】００１９
【補正方法】変更
【補正の内容】
【００１９】
好ましくは、情報出力手段は、動作状況受信手段により所定の動作状況が受信された場合、受信された動作状況に関連する付加情報取得情報に基づき、付加情報を出力する。
【手続補正１１】
【補正対象書類名】明細書
【補正対象項目名】００２０
【補正方法】変更
【補正の内容】
【００２０】
この発明に従えば、情報伝達システムの第２の情報伝達装置は、所定の動作状況が受信された場合、受信された動作状況に関連する付加情報取得情報に基づき、付加情報を出力する。このため、受信された動作状況に応じて、付加情報を出力することができる。その結果、伝達する情報に関連する情報を報知することができる。
【手続補正１２】
【補正対象書類名】明細書
【補正対象項目名】００２１
【補正方法】変更
【補正の内容】
【００２１】
この発明のさらに他の局面によれば、情報伝達装置は、人が近傍にいるか否かを検出する検出装置、および、検出装置と同じ領域に設置された他の情報伝達装置それぞれとの間で情報を送受信可能であって、検出装置から人が近傍にいることを示す検出信号を受信する検出信号受信手段と、自機の動作状況を他の情報伝達装置に送信する動作状況送信手段とを備え、自機の動作状況が所定の動作状況である場合に、検出装置からの検出信号が受信されたことを条件に、所定の動作状況を自機の動作状況として他の情報伝達装置に送信する。
【手続補正１３】
【補正対象書類名】明細書
【補正対象項目名】００２２
【補正方法】変更
【補正の内容】
【００２２】
この発明に従えば、情報伝達装置は、自機の動作状況が所定の動作状況である場合に、検出装置から人が近傍にいることを示す検出信号が受信されたことを条件に、所定の動作状況を自機の動作状況として他の情報伝達装置に送信する。このため、自機の所定の動作状況を、人が近傍にいる情報伝達装置に送信することができる。その結果、必要に応じて情報を伝達することが可能な情報伝達装置を提供することができる。
【手続補正１４】
【補正対象書類名】明細書
【補正対象項目名】００２５
【補正方法】変更
【補正の内容】
【００２５】
好ましくは、検出装置は複数あり、複数の検出装置は互いに異なる領域に設置され、他の情報伝達装置は複数あり、複数の他の情報伝達装置は、それぞれ、複数の検出装置と同じ領域に設置され、動作状況送信手段は、所定の動作状況を、検出信号を送信してきた検出装置と同じ領域に設置された他の情報伝達装置に送信する。
【手続補正１５】
【補正対象書類名】明細書
【補正対象項目名】００２９
【補正方法】変更
【補正の内容】
【００２９】
この発明のさらに他の局面によれば、情報伝達装置は、自機が設置される領域と同じ領域に設置され、近傍に人がいるか否かを検出する検出装置、および、他の情報伝達装置それぞれとの間で情報を送受信可能である。そして、情報伝達装置は、他の情報伝達装置から動作状況を受信する動作状況受信手段と、検出装置から人が近傍にいることを示す検出信号を受信する検出信号受信手段と、動作状況受信手段により所定の動作状況が受信された場合、検出信号が受信されたことを条件に、受信された所定の動作状況を出力する情報出力手段とを備える。
【手続補正１６】
【補正対象書類名】明細書
【補正対象項目名】００４３
【補正方法】変更
【補正の内容】
【００４３】
この発明のさらに他の局面によれば、情報伝達方法は、近傍に人がいるか否かを検出する検出装置、および、検出装置と同じ領域に設置された他の情報伝達装置それぞれとの間で情報を送受信可能な情報伝達装置で情報を伝達する方法であって、検出装置から人が近傍にいることを示す検出信号を受信するステップと、自機の動作状況が所定の動作状況である場合に、検出信号が受信されたことを条件に、所定の動作状況を他の情報伝達装置に送信するステップとを含む。
【手続補正１７】
【補正対象書類名】明細書
【補正対象項目名】００４９
【補正方法】変更
【補正の内容】
【００４９】
この発明のさらに他の局面によれば、情報伝達プログラムは、近傍に人がいるか否かを検出する検出装置、および、検出装置と同じ領域に設置された他の情報伝達装置それぞれとの間で情報を送受信可能な情報伝達装置で実行されるプログラムであって、検出装置から人が近傍にいることを示す検出信号を受信するステップと、自機の動作状況が所定の動作状況である場合に、検出信号が受信されたことを条件に、所定の動作状況を他の情報伝達装置に送信するステップとを情報伝達装置に実行させる。